(57)【要約】【課題】浴室の壁に容易に取り付け・取り外しが可能で、重厚感や高級感を醸し出すことができる浴室装飾用タイルを提供する。【解決手段】陶器、磁器、金属もしくはプラスチックのような材料またはこれらの材料の中から選択される２以上の材料を組み合わせた複合材料により作製されて浴室の壁Ｗを装飾するタイル本体２を備え、このタイル本体２の裏面側に、浴室の壁Ｗに対して吸引力を作用させる吸着層３を形成して、該タイル本体２を浴室の壁Ｗに着脱自在に貼り付けるようにする。吸着層３は、少なくとも浴室の壁Ｗとの接触面側に凹状穴を無数に有する吸着性樹脂シート４と、マグネットシート５とを交互に隣接するように並設して形成したものとする。【選択図】図１
0003194334.tif 000002
【実用新案登録請求の範囲】
【請求項１】
陶器、磁器、金属もしくはプラスチックのような材料またはこれらの材料の中から選択される２以上の材料を組み合わせた複合材料により作製されて浴室の壁を装飾するタイル本体を備え、このタイル本体の裏面側に、浴室の壁に対して吸引力を作用させる吸着層を形成して、該タイル本体を浴室の壁に着脱自在に貼り付けるようにしたことを特徴とする浴室装飾用タイル。
【請求項２】
吸着層は、少なくとも浴室の壁との接触面側に凹状穴を無数に有するシート状の吸着性樹脂と、シート状の磁石体とを並設して形成したものであることを特徴とする請求項１に記載の浴室装飾用タイル。
【考案の詳細な説明】
【技術分野】
【０００１】
本考案は、浴室の壁を装飾するための浴室装飾用タイルに関し、特に、浴室の壁に着脱自在な浴室装飾用タイルに関するものである。
【背景技術】
【０００２】
一般家庭の浴室は殺風景な空間である場合が多い。浴室ユニットの多くが、規格品であり大量生産されたものであるから、壁面に装飾用タイルを特注施工でもしないとなかなか装飾的な浴室を得るのは難しい。
【０００３】
そこで、浴室の壁に着脱自在な装飾用のシールを貼り付けることが提案されている（例えば特許文献１参照）。かかる装飾用のシールは、浴室の壁との間に粘着層を形成することにより、浴室の壁に容易に取り付け・取り外しが可能とされており、容易に装飾を施すことができる。
【先行技術文献】
【特許文献】
【０００４】
【特許文献１】登録実用新案第３０２４２３３号公報
【０００５】
しかしながら、上記特許文献１に係る装飾用のシールでは、平面的で安易な形態での装飾品であるため、重厚感や高級感に欠けるという問題点がある。
【考案の概要】
【考案が解決しようとする課題】
【０００６】
本考案は、前述のような問題点に鑑みてなされたもので、浴室の壁に容易に取り付け・取り外しが可能で、重厚感や高級感を醸し出すことができる浴室装飾用タイルを提供することを目的とするものである。
【課題を解決するための手段】
【０００７】
前記目的を達成するために、本考案による浴室装飾用タイルは、
陶器、磁器、金属もしくはプラスチックのような材料またはこれらの材料の中から選択される２以上の材料を組み合わせた複合材料により作製されて浴室の壁を装飾するタイル本体を備え、このタイル本体の裏面側に、浴室の壁に対して吸引力を作用させる吸着層を形成して、該タイル本体を浴室の壁に着脱自在に貼り付けるようにしたことを特徴とするものである（第１考案）。
【０００８】
本考案において、吸着層は、少なくとも浴室の壁との接触面側に凹状穴を無数に有するシート状の吸着性樹脂と、シート状の磁石体とを並設して形成したものであるのが好ましい（第２考案）。
【考案の効果】
【０００９】
本考案の浴室装飾用タイルによれば、陶器、磁器、金属もしくはプラスチックのような材料またはこれらの材料の中から選択される２以上の材料を組み合わせた複合材料により作製されたタイル本体によって浴室の壁を装飾するようにされているので、装飾用のシールのような平面的で安易な形態のものでの装飾とは異なり、重厚感や高級感を醸し出すことができる。また、タイル本体の裏面側に形成された吸着層によってタイル本体が浴室の壁に着脱自在に貼り付けられるので、浴室の壁に容易に取り付けたり、取り外したりすることができる。
【００１０】
また、吸着層は、少なくとも浴室の壁との接触面側に凹状穴を無数に有するシート状の吸着性樹脂と、シート状の磁石体とを並設して形成したものとすることにより、浴室の壁の基材が鉄製である場合は磁石体によって吸着力を得ることができるとともに、同基材が鉄製でない場合や壁の表面が凸凹である場合は吸着性樹脂によって吸着力を得ることができ、浴室の壁の構成材料や表面粗さにかかわらず貼り付けることができる。
【図面の簡単な説明】
【００１１】
【図１】本考案の一実施形態に係る浴室装飾用タイルを示す図で、（ａ）は使用状態を示す斜視図、（ｂ）は（ａ）のＡ−Ａ線断面図である。
【図２】複数の浴室装飾用タイルで図柄を表す態様例を示す図で、（ａ）は正面図、（ｂ）は（ａ）のＢ−Ｂ線断面図、（ｃ）は代表例の１枚の浴室装飾用タイルの背面図である。
【考案を実施するための形態】
【００１２】
次に、本考案による浴室装飾用タイルの具体的な実施の形態について、図面を参照しつつ説明する。
【００１３】
＜浴室装飾用タイルの概略説明＞
図１（ａ）および（ｂ）に示される浴室装飾用タイル１は、タイル本体２を備え、このタイル本体２の裏面側に、浴室の壁Ｗに対して吸引力を作用させる吸着層３を形成して、タイル本体２を浴室の壁Ｗに着脱自在に貼り付けるようにしている。
【００１４】
＜タイル本体の説明＞
タイル本体２は、陶器、磁器、金属もしくはプラスチックあるいはゴムのような材料またはこれらの材料の中から選択される２以上の材料を組み合わせた複合材料により作製され、浴室の壁Ｗを装飾するために、例えば魚を模した形状とされ、適宜に色彩等が施されて装飾性が高められている。なお、タイル本体２の形状は、本例で示したものに限定されるものではなく、例えばカニ、エビ等の甲殻類やイカ、タコ等の頭足類、植物等を模した形状でもよく、浴室を装飾するのに好適なものを適宜に採用することができる。
【００１５】
＜吸着層の説明＞
吸着層３は、吸着性樹脂シート４と、マグネットシート５とがタイル本体２の長さ方向に交互に隣接するように並設されてなり、各シート４，５は、接着剤や両面粘着テープ等よりなる接着層６を介してタイル本体２の裏面に固着されている。
【００１６】
＜吸着性樹脂シートの説明＞
吸着性樹脂シート４は、少なくとも浴室の壁Ｗとの接触面側に所定の直径の凹状穴（所謂「マイクロ吸盤」：図示省略）を無数に有する所定の厚さの柔軟な吸着性発砲合成樹脂よりなるものである。この吸着性樹脂シート４において、凹状穴は、その径よりも大きな径を持つ内部の気泡に連続し、内部の気泡は他の気泡と細径管にて連続した構造を有する。
【００１７】
吸着性樹脂シート４の吸引力は、微細で柔軟な凹状穴により発生するもので、凹状穴が浴室の壁Ｗに押し付けられると、凹状穴と壁Ｗとによって形成される密閉空間が減圧状態となることにより発生する力であり、壁Ｗへの押し付けによって吸着性樹脂シート４が弾性圧縮状態となり、これが弾性的に復元しようとするときに、凹状穴による吸盤作用が働くことによって発生するものである。
【００１８】
＜マグネットシートの説明＞
マグネットシート５は、柔軟性のあるシート状の磁石体であって、例えばゴムにフェライト粉末を混ぜてシート状に成型し、得られたシートを磁化し着磁化して作製されるものである。
【００１９】
＜作用効果の説明＞
以上に述べたように構成される浴室装飾用タイル１によれば、陶器、磁器、金属もしくはプラスチックあるいはゴムのような材料またはこれらの材料の中から選択される２以上の材料を組み合わせた複合材料により作製された魚を模した形状のタイル本体によって浴室の壁を装飾するようにされているので、装飾用のシールのような平面的で安易な形態のものでの装飾とは異なり、重厚感や高級感を醸し出すことができる。また、タイル本体２の裏面側に形成された吸着層３によってタイル本体２が浴室の壁Ｗに着脱自在に貼り付けられるので、浴室の壁Ｗに容易に取り付けたり、取り外したりすることができる。
【００２０】
また、吸着層３は、吸着性樹脂シート４と、マグネットシート５とが交互に隣接するように並設されてなるものとされるので、浴室の壁Ｗの基材が鉄製である場合はマグネットシート５によって吸着力を得ることができるとともに、同基材が鉄製でない場合や壁Ｗの表面が凸凹である場合は吸着性樹脂シート４によって吸着力を得ることができ、浴室の壁Ｗの構成材料や表面粗さにかかわらず貼り付けることができる。
【００２１】
以上、本考案の浴室装飾用タイルについて、一実施形態に基づいて説明したが、本考案は上記実施形態に記載した構成に限定されるものではなく、その趣旨を逸脱しない範囲において適宜その構成を変更することができるものである。
【００２２】
例えば、上記実施形態において、吸着層３は、吸着性樹脂シート４と、マグネットシート５とがタイル本体２の長さ方向に交互に隣接するように並設されてなる例を示したが、吸着層３を、吸着性樹脂シート４のみで構成する、あるいはマグネットシート５のみで構成する態様もあり得る。
【００２３】
上記実施形態においては、浴室装飾用タイル１が単体で１つの形態（本例では「魚」）を構成する例を示したが、図２（ａ）に示されるように、複数の浴室装飾用タイル１１で１つの図柄を構成するようにしてもよい。
すなわち、図２（ａ）および（ｂ）において、複数の浴室装飾用タイル１１は、それぞれ表面側に例えば富士山の図柄を分割した一部分の印刷を施してなるタイル本体１２を備え、このタイル本体１２の裏面側に、前述した吸着層３と同様の吸着層１３を形成して、該タイル本体１２を浴室の壁Ｗに着脱自在に貼り付けるようにしてなり、図２（ｃ）に示されるように、１枚毎に異なる配列符号（例えば、「Ｂ−５」）をタイル本体１２の裏面中央に付して、各浴室装飾用タイル１１を、それぞれの配列符号の順に従って、浴室の壁Ｗに貼り付けることにより、図２（ａ）に示されるように、所期の図柄（富士山）を形成することができる。
なお、タイル本体１２は、前述したタイル本体２と同様に、陶器、磁器、金属もしくはプラスチックのような材料またはこれらの材料の中から選択される２以上の材料を組み合わせた複合材料により作製される。
【産業上の利用可能性】
【００２４】
本考案の浴室装飾用タイルは、浴室の壁に容易に取り付け・取り外しが可能で、重厚感や高級感を醸し出すことができるという特性を有していることから、浴室の装飾の用途に好適に用いることができる。
【符号の説明】
【００２５】
１、１１  浴室装飾用タイル
２，１２  タイル本体
３，１３  吸着層
４        吸着性樹脂シート（吸着性樹脂）
５        マグネットシート（磁石体）
６        接着層
Ｗ        壁
【図１】
0003194334.tif 000003
【図２】
0003194334.tif 000004